(57)【要約】【課題】ケーブルの支持固定をより簡略な構成でより確実に行う。【解決手段】電子機器のシャーシ１の角部に設けられ、所定のケーブル６を支持するケーブル支持構造１００である。ヒートシンク３よりも外側にてシャーシ１と一体となって設けられ、軸方向に対して直交する方向の断面が略円形状をなす外周面部４１を有する円形ボス４と、この円形ボス４よりも外側に設けられ、対向配置される円形ボス４の外周面部４１とともにヒートシンク３の外側にて引き回されるケーブル６が挟持される凹状のケーブル挟持部７を構成する切欠部５１を有するリブ５と、を備え、外周面部４１及び切欠部５１は、その基端部側になるに従って対向配置される切欠部５１及び外周面部４１に近接するように傾斜して形成されている。【選択図】図１
0003107003.tif 000002
【実用新案登録請求の範囲】
【請求項１】
電子機器のシャーシの角部に設けられ、所定のケーブルを支持するケーブル支持構造であって、
前記角部には、所定の基板を保持する基板保持部と、前記基板保持部よりも外側に前記ケーブルとの接触が回避されるべきケーブル接触回避部とが設けられ、
前記ケーブル接触回避部よりも外側にて前記シャーシの一面から突出されるように当該シャーシに一体となって成形され、軸方向に対して直交する方向の断面が略円形状をなす外周面部を有する円形ボスと、
前記円形ボスよりも外側にて当該円形ボスと略平行に前記シャーシの一面から突出されるように設けられ、対向配置される前記円形ボスの外周面部とともに前記ケーブル接触回避部よりも外側にて引き回される前記ケーブルが挟持される凹状のケーブル挟持部を構成する切欠部を有するリブと、を備え、
前記外周面部及び前記切欠部のうちの少なくとも何れか一方は、その基端部側になるに従って対向配置される前記切欠部及び前記外周面部に近接するように傾斜して形成されるとともに、前記外周面部及び前記切欠部のうちの少なくとも何れか一方の自由端部は、面取りされてなることを特徴とするケーブル支持構造。
【請求項２】
電子機器のシャーシの角部に設けられ、所定のケーブルを支持するケーブル支持構造であって、
前記角部には、所定の基板を保持する基板保持部と、前記基板保持部よりも外側に前記ケーブルとの接触が回避されるべきケーブル接触回避部とが設けられ、
前記ケーブル接触回避部よりも外側にて前記シャーシの一面から突出されるように設けられ、軸方向に対して直交する方向の断面が略円形状をなす外周面部を有する円形ボスと、
前記円形ボスよりも外側にて当該円形ボスと略平行に前記シャーシの一面から突出されるように設けられ、対向配置される前記円形ボスの外周面部とともに前記ケーブル接触回避部よりも外側にて引き回される前記ケーブルが挟持される凹状のケーブル挟持部を構成する切欠部を有するリブと、を備え、
前記外周面部及び前記切欠部のうちの少なくとも何れか一方は、その基端部側になるに従って対向配置される前記切欠部及び前記外周面部に近接するように傾斜して形成されてなることを特徴とするケーブル支持構造。
【請求項３】
前記外周面部及び前記切欠部のうちの少なくとも何れか一方の自由端部は、面取りされてなることを特徴とする請求項２に記載のケーブル支持構造。
【請求項４】
前記ケーブル接触回避部は、内部より発せられる熱を放熱するヒートシンクであることを特徴とする請求項２又は３に記載のケーブル支持構造。
【請求項５】
前記円形ボスは、前記シャーシに一体となって成形されていることを特徴とする請求項２〜４の何れか一項に記載のケーブル支持構造。
【考案の詳細な説明】
【技術分野】
【０００１】
本考案は、ケーブルを支持固定するためのケーブル支持構造に関する。
【背景技術】
【０００２】
従来、テレビジョン受信器やビデオ装置等の電子機器のシャーシには、各種の基板等が配設されており、また、基板の近傍には、内部より発せられる熱を放熱するヒートシンクが設けられている。
【０００３】
ところで、ヒートシンクに基板に接続される配線ケーブルや電源コード等のケーブルが接触すると、ケーブルを被覆するテープ等が発熱により溶けたりして、当該電子機器の具備する機能を実現することができない場合がある。
【０００４】
そこで、電子機器の機能の実現を確保する上で、ヒートシンクにケーブルが接触しないようにケーブルを支持固定をするためのケーブル支持構造が提案されている（例えば、特許文献１参照。）。なお、電子機器内には、ヒートシンクの他に、ケーブルが接触することによりショートが引き起こされる虞があるなど、ケーブルとの接触が回避されるべき所定のケーブル接触回避部が設けられている。
【特許文献１】実開昭５４−１６９２９７号公報
【考案の開示】
【考案が解決しようとする課題】
【０００５】
ところで、上記特許文献１等のように、ケーブル支持構造としてボスとリブとによりケーブルを挟持する構造を適用した場合、当該ケーブルの支持固定を適切に行うためには、例えば、ボスとリブの間隔をケーブルの太さに対応させたものとしたり、ボスとリブの間にケーブルを配設した後でケーブルの抜け止めするための蓋部材を取り付ける必要があるために煩雑となっており、ケーブル支持構造をより簡略化したものが望まれている。
【０００６】
なお、円形ボスやリブの何れか一方のみを設けただけでは、ケーブルの支持固定を確実に行うことができず、特に、リブのみを設けた場合には、ケーブルが振動等によって所定方向に引っ張られた場合にリブが折れてしまうといった問題もある。
【０００７】
本考案の課題は、ケーブルの支持固定をより簡略な構成でより確実に行うことができるケーブル支持構造を提供することである。
【課題を解決するための手段】
【０００８】
そこで、上記課題を解決するため、本考案は、例えば図１〜図３に示すように、
電子機器のシャーシ（１）の角部に設けられ、所定のケーブル（６）を支持するケーブル支持構造（１００）であって、
前記角部には、所定の基板を保持する基板保持部（２）と、前記基板保持部よりも外側に前記ケーブルとの接触が回避されるべきケーブル接触回避部（例えば、ヒートシンク３）とが設けられ、
前記ケーブル接触回避部よりも外側にて前記シャーシの一面（例えば、底面１１）から突出されるように当該シャーシに一体となって成形され、軸方向に対して直交する方向の断面が略円形状をなす外周面部（４１）を有する円形ボス（４）と、
前記円形ボスよりも外側にて当該円形ボスと略平行に前記シャーシの一面から突出されるように設けられ、対向配置される前記円形ボスの外周面部とともに前記ケーブル接触回避部よりも外側にて引き回される前記ケーブルが挟持される凹状のケーブル挟持部（７）を構成する切欠部（５１）を有するリブ（５）と、を備え、
前記外周面部及び前記切欠部のうちの少なくとも何れか一方は、その基端部側になるに従って対向配置される前記切欠部及び前記外周面部に近接するように傾斜して形成される
とともに、前記外周面部及び前記切欠部のうちの少なくとも何れか一方の自由端部（４２、５２）は、面取りされてなることを特徴としている。
【０００９】
ここで、ケーブル接触回避部と、電子機器の具備する機能の実現を確保する上でケーブルとの接触が回避されるべきものであり、具体的には、例えば、内部より発せられる熱を放熱するヒートシンク等が挙げられる。
【００１０】
本考案によれば、円形ボスの外周面部と円形ボスよりも外側に設けられたリブの切欠部とにより、ケーブル接触回避部よりも外側にて引き回されるケーブルが挟持される凹状のケーブル挟持部が構成されているので、ケーブル接触回避部の外側にてケーブルを円形ボスの外周面部に沿うようにして引き回すことができることとなって、ケーブルの案内支持を適正に行うことができる。また、外周面部及び切欠部のうちの少なくとも何れか一方は、その基端部側になるに従って対向配置される切欠部及び外周面部に近接するように傾斜して形成されている、即ち、ケーブル挟持部は円形ボス及びリブの基端部側ほど幅が狭くなるように形成されているので、当該ケーブル挟持部にケーブルを挿入し易くなるとともに、挿入されたケーブルがケーブル挟持部から抜け難くなる。これによって、ケーブル挟持部によるケーブルの挟持をより確実に行うことができ、ケーブルのケーブル接触回避部に対する接触を回避することができる。このように、ケーブル接触回避部の外側にて引き回されるケーブルの支持固定をより簡略な構成でより確実に行うことができる。
【００１１】
また、円形ボスの外周面部及びリブの切欠部のうちの少なくとも何れか一方の自由端部、即ち、ケーブル挟持部のケーブルが挿入される開口側の端部が、面取りされているので、ケーブルの支持固定に際して、ケーブル挟持部に挿入されるケーブルの表面に傷がつくことを防止することができる。
【００１２】
さらに、円形ボスは、シャーシに一体となって成形されているので、円形ボスをシャーシとともに簡便に形成することができる。
【００１３】
また、ケーブル接触回避部が、内部より発せられる熱を放熱するヒートシンクであっても、上記のように、ケーブルの支持固定をより簡略な構成でより確実に行うことができる。つまり、ヒートシンクにケーブルが接触することなく、当該ケーブルの支持固定を確実に行うことができる。
【考案の効果】
【００１４】
本考案によれば、ケーブル接触回避部の外側にてケーブルを円形ボスの外周面部に沿うようにして引き回すことができることとなって、ケーブルの案内を適正に行うことができる。また、円形ボス及びリブの基端部側ほど幅が狭くなるように形成されたケーブル挟持部にケーブルを挿入し易くなるとともに、挿入されたケーブルがケーブル挟持部から抜け難くなる。これによって、ケーブル挟持部によるケーブルの挟持をより確実に行うことができ、ケーブルのケーブル接触回避部に対する接触を回避することができる。このように、ケーブル接触回避部の外側にて引き回されるケーブルの支持固定をより簡略な構成でより確実に行うことができる。
【考案を実施するための最良の形態】
【００１５】
以下に、本考案について、図面を用いて具体的な態様を説明する。ただし、考案の範囲は、図示例に限定されない。
【００１６】
図１は、本考案を適用した好適な一実施形態として例示するケーブル支持構造が適用された電子機器のシャーシの一部分を示す斜視図である。
【００１７】
図１に示すように、例えば、電子機器のシャーシ１の一の角部には、Ｈ／Ｖ基板等の所定の基板が保持される基板保持部２が配設され、その外側に基板保持部２から発せられる熱を放熱するためのヒートシンク３が配設されている。
【００１８】
ヒートシンク３は、例えば、電子機器の具備する機能の実現を確保する上でケーブル６
との接触が回避されるべきケーブル接触回避部を構成しており、具体的には、基板保持部２を囲むように断面略Ｌ字型に形成された部材である。
【００１９】
また、ヒートシンク３の外側に円形ボス４とリブ５とが設けられており、これら円形ボス４とリブ５とによって、当該電子機器の内部に配設される所定のケーブル６を案内するとともに支持固定するケーブル支持構造１００が構成されている。
【００２０】
以下に、ケーブル支持構造１００について、図２及び図３を参照して詳細に説明する。
【００２１】
ここで、図２は、ケーブル支持構造１００を構成する円形ボス４及びリブ５を示す平面図であり、図３は、図２のIII−III線における断面図である。
【００２２】
図２に示すように、円形ボス４は、ヒートシンク３の略直角に形成された角部分に対向するように設けられている。また、円形ボス４は、例えば図３に示すように、シャーシ１の底面１１から当該底面１１に対して略直交する方向に突出するように当該シャーシ１に一体となって成形されている。さらに、円形ボス４は、その突出方向（軸方向）に対して直交する方向の断面が略円形状に形成された外周面部４１を有している。外周面部４１は、シャーシ１の底面１１側である基端部側になるに従って円形ボス４が拡径されるように、即ち、対向配置される切欠部５１（後述）に近接するように傾斜して形成されている。
【００２３】
なお、外周面部４１の自由端部４２は、ケーブル６の表面に傷がつくことが防止されるように面取りされた形状となっている。
【００２４】
リブ５は、例えば図３に示すように、円形ボス４よりも外側にて当該円形ボス４と略平行にシャーシ１の底面１１から突出するように設けられている。具体的には、リブ５は、例えば、所定の樹脂から成形された所定厚を有する板状の部材であり、その厚さ方向に沿う一面が円形ボス４の外周面部４１に対向配置されるように設けられている。また、リブ５の自由端部側の円形ボス４に対向する部分には、当該リブ５の厚さ方向に亘って切り欠かれた切欠部５１が形成されている。切欠部５１は、基端部側になるに従ってリブ５の幅が大きくなるように、即ち、対向配置される外周面部４１に近接するように傾斜して形成されている。
【００２５】
なお、切欠部５１の自由端部５２は、ケーブル６の表面に傷がつくことが防止されるように面取りされた形状となっている。
【００２６】
上記した円形ボス４の外周面部４１とリブ５の切欠部５１とによって、ヒートシンク３の外側にて引き回されるケーブル６が挟持される凹状のケーブル挟持部７が構成されており、このケーブル挟持部７によってケーブル６が挟持されて支持固定されるようになっている。
【００２７】
以上のように、本実施の形態のケーブル支持構造１００によれば、円形ボス４の外周面部４１とリブ５の切欠部５１とにより、ヒートシンク３よりも外側にて引き回されるケーブル６が挟持される凹状のケーブル挟持部７が構成されているので、ヒートシンク３の外側にてケーブル６を円形ボス４の外周面部４１に沿うようにして引き回すことができることとなって、例えばケーブル６を他のケーブルと一緒に束ねるための所定の部材を必要とすることなく、ケーブル６の案内支持を適正に、且つ、簡便に行うことができる。また、外周面部４１及び切欠部５１は、基端部側になるに従って対向配置される切欠部５１及び外周面部４１に近接するように傾斜して形成されている、即ち、ケーブル挟持部７は円形ボス４及びリブ５の基端部側ほど幅が狭くなるように形成されているので、ケーブル６をケーブル挟持部７に挿入し易くなるとともに、例えば、電子機器に振動等が加えられても挿入されたケーブル６がケーブル挟持部７から抜け難くなる。さらに、このとき、樹脂成形されたリブ５が弾性変形することによって、当該リブ５と円形ボス４とによるケーブル６の挟持をより適正に行うことができ、ケーブル６がケーブル挟持部７からより抜け難くなる。これによって、ケーブル挟持部７によるケーブル６の挟持をより確実に行うことが
でき、ケーブル６のヒートシンク３に対する接触を回避することができる。このように、ヒートシンク３の外側にて引き回されるケーブル６の支持固定をより簡略な構成でより確実に行うことができる。
【００２８】
また、円形ボス４の外周面部４１及びリブ５の切欠部５１の自由端部４２、５２は、面取りされている、即ち、ケーブル挟持部７のケーブル６が挿入される開口側の端部４２、５２が面取りされているので、ケーブル６の支持固定に際して、ケーブル挟持部７に挿入されるケーブル６の表面に傷がつくことを防止することができる。
【００２９】
さらに、円形ボス４は、シャーシ１に一体となって成形されているので、円形ボス４をシャーシ１とともに簡便に形成することができる。
【００３０】
なお、本考案は、上記実施形態に限定されることなく、本考案の趣旨を逸脱しない範囲において、種々の改良並びに設計の変更を行っても良い。
【００３１】
例えば、上記実施形態では、円形ボス４及びリブ５が突出されるように形成される一面としてシャーシ１の底面１１を例示したが、これに限られるものではなく、シャーシ１の一面であれば如何なる面であっても良い。
【００３２】
また、円形ボス４の外周面部４１及びリブ５の切欠部５１の両方を、その基端部側になるに従って対向配置される切欠部５１及び外周面部４１に近接するように傾斜して形成する構成としたが、これに限られるものではなく、円形ボス４の外周面部４１及びリブ５の切欠部５１のうちの少なくとも何れか一方が傾斜して形成されていれば良い。
【００３３】
さらに、外周面部４１及び切欠部５１の両方の自由端部４２、５２を、面取りするような構成としたが、これに限られるものではなく、外周面部４１及び切欠部５１の自由端部４２、５２のうちの少なくとも何れか一方が面取りされていれば良い。
【００３４】
また、ケーブル接触回避部として、ヒートシンク３を例示したが、これに限られるものではなく、例えば、電子機器の具備する機能の実現を確保する上でケーブル６との接触が回避されるべき部材、即ち、具体的には、接触によりショート等が引き起こされる虞のある部材であれば如何なるものであっても良い。
【図面の簡単な説明】
【００３５】
【図１】本考案を適用した好適な一実施形態として例示するケーブル支持構造が適用された電子機器のシャーシの一部分を示す斜視図である。
【図２】図１のケーブル支持構造を示す平面図である。
【図３】図２のIII−III線における断面図である。
【符号の説明】
【００３６】
１００  ケーブル支持構造
１      シャーシ
１１    底面（一面）
２      基板保持部
３      ヒートシンク（ケーブル接触回避部）
４      円形ボス
４１    外周面部
４２    自由端部
５      リブ
５１    切欠部
５２    自由端部
６      ケーブル
７      ケーブル挟持部
【図１】
0003107003.tif 000003
【図２】
0003107003.tif 000004
【図３】
0003107003.tif 000005